(57)【要約】      （修正有）【課題】充電に適した状況であることをユーザが知ることができる電子機器、時計、および電子機器の制御方法を提供する。【解決手段】電子機器１は、環境変化に応じて発電量が変化する発電部Ｇと、発電部Ｇにより発電された電力が充電される二次電池Ｅと、二次電池Ｅに充電される目標充電量と、発電部Ｇによって発電される電力量とを比較する比較部１０８と、比較部１０８が比較した結果に基づいて、充電に適した状況であることを示す充電状況を報知する報知部３０と、を備える。【選択図】図１
2018059858.tif 000002
【特許請求の範囲】
【請求項１】
環境変化に応じて発電量が変化する発電部と、
前記発電部により発電された電力が充電される二次電池と、
前記二次電池に充電される目標充電量と、前記発電部によって発電される電力量とを比較する比較部と、
前記比較部が比較した結果に基づいて、前記充電に適した状況であることを示す充電状況を報知する報知部と、
を備える電子機器。
【請求項２】
前記比較部は、
比較した結果に基づいて、前記充電状況であることを示すための閾値を設定し、所定時間に発電される前記発電量が、設定した前記閾値以上であるとき、前記充電に適した状況であると判別する、請求項１に記載の電子機器。
【請求項３】
前記目標充電量は、当該電子機器の１日の消費電力量であり、
前記閾値は、１日の前記消費電力量を前記所定時間で充電可能な前記発電量である、請求項２に記載の電子機器。
【請求項４】
１日の消費電力量は、実測された１日の消費電力、または当該電子機器は有する機能が使用された回数に基づいて算出した消費電力のいずれか１つである、請求項３に記載の電子機器。
【請求項５】
前記閾値は、
前記所定時間で前記二次電池の残量が所定量増加する前記発電量である、請求項２に記載の電子機器。
【請求項６】
前記報知部は、
前記発電量に基づく情報を表示する第１の表示部と、
前記二次電池の充電状態を表示する第２の表示部と、を備え、
前記比較部は、
前記充電状況を、前記第１の表示部に表示される情報、および前記第２の表示部に表示される前記二次電池の充電状態のうち、少なくとも１つの表示を変化させる、請求項１から請求項５のいずれか１項に記載の電子機器。
【請求項７】
前記報知部は、
前記第１の表示部と前記第２の表示部とが対称的に配置されている、請求項６に記載の電子機器。
【請求項８】
前記報知部は、
複数に分割された連続し、円周状に６０個に分割された表示領域、を備え、
前記第１の表示部が、基準とする角度に対して３０度から１５０度の範囲に配置され、
前記第２の表示部が、基準とする角度に対して２１０度から２７０度の範囲に配置され、
前記比較部は、
前記表示領域に、計時情報を表示する動作モードのとき、前記計時情報を表示し、
前記表示領域に、計時情報を表示する動作モード以外のとき、前記発電量に基づく情報と前記二次電池の充電状態を表示する、請求項６または請求項７に記載の電子機器。
【請求項９】
前記発電部の発電量に基づく値を検出する発電量検出回路と、
当該電子機器が消費する電流を検出する消費電流検出回路と、
前記二次電池の残量に基づく値を検出する電池残量検出回路と、
外部機器と通信を行う通信部と、を備え、
前記比較部は、
前記通信部が通信を行うモードのとき、前記第１の表示部に前記二次電池の充電状態を表示し、前記第２の表示部に前記発電量に基づく情報を表示する、請求項６から請求項８のいずれか１項に記載の電子機器。
【請求項１０】
計時機能と、を備え、
前記計時機能により計時された時刻を前記報知部に報知し、
前記発電部が、太陽電池で構成される、請求項１から請求項９のうちいずれか１項に記載の電子機器。
【請求項１１】
環境変化に応じて発電量が変化する発電部と、前記発電部により発電された電力が充電される二次電池と、を有する電子機器の制御方法であって、
比較部が、前記二次電池に充電される目標充電量と、前記発電部によって発電される電力量とを比較する比較ステップと、
報知部が、前記比較ステップによって比較された結果に基づいて、前記充電に適した状況であることを示す充電状況を報知する報知ステップと、
を含む電子機器の制御方法。
【発明の詳細な説明】
【技術分野】
【０００１】
本発明は、電子機器、および電子機器の制御方法に関する。
【背景技術】
【０００２】
太陽電池によって発電された電気エネルギーを用いる機器が実用化されている。例えば、太陽電池（ソーラーパネル）を有するデジタル時計では、太陽電池が光エネルギーを電気エネルギーに変換して、変換した電気エネルギーを二次電池に充電する。そして、このようなデジタル時計では、二次電池に充電した電力を用いて、時刻の計時や表示等を行っている。
【０００３】
このような太陽電池と二次電池を有するデジタル時計では、二次電池が蓄える電力が少なくなると、デジタル時計を駆動できなくなるため、二次電池の残量を表示する機能を有するものもある。
例えば、特許文献１に記載の技術では、発電能力検出手段で得られた結果に応じてＬＣＤ（液晶ディスプレイ）のセグメント点灯箇所を変更して表示することで、ユーザに発電状況を知らせる。
また、特許文献２に記載の技術では、アナログ指針による発電状況の表示を主文字板で行い、小文字板で蓄電量表示を行う。
【０００４】
また、ソーラーパネルを有するデジタル時計は、自然エネルギーを使って充電を行うことができるため、登山やアウトドア用に使用される場合がある。これらの用途のデジタル時計は、高度計、コンパス、温度計、気圧計などのセンサーを有するものもある。そして、このように機能が多いデジタル時計では、消費電力も大きくなる。このため、ソーラーパネル等の環境依存型の発電装置を有するデジタル時計では、ユーザが積極的に充電を行う必要性が生じる。
【先行技術文献】
【特許文献】
【０００５】
【特許文献１】特開第３００９５８９号公報
【特許文献２】特開２０１５−１７５６０２号公報
【発明の概要】
【発明が解決しようとする課題】
【０００６】
しかしながら、特許文献１に記載の技術では、太陽電池の発電電力が大きいか小さいかのレベル表示のみであり、二次電池の充電のため十分な発電量なのか、また、二次電池がどの程度充電されているかについてユーザが知ることはできない。
また、特許文献２に記載の技術では、発電量表示と独立して蓄電量の表示を行っているのみであり、二次電池の充電のため十分な発電量なのかユーザが知ることはできない。
そして、従来技術のソーラーパネル等の環境依存型の発電装置を有するデジタル時計では、発電状態が環境に依存するので、充電を充分に行える状況であるか否かが分からない。
【０００７】
本発明は上記の点に鑑みてなされたものであり、充電に適した状況であることをユーザが知ることができる電子機器、時計、および電子機器の制御方法を提供することを目的とする。
【課題を解決するための手段】
【０００８】
上記目的を達成するため、本発明の一態様に係る電子機器は、環境変化に応じて発電量が変化する発電部と、前記発電部により発電された電力が充電される二次電池と、前記二次電池に充電される目標充電量と、前記発電部によって発電される電力量とを比較する比較部と、前記比較部が比較した結果に基づいて、前記充電に適した状況であることを示す充電状況を報知する報知部と、を備える。
【０００９】
上記目的を達成するため、本発明の一態様に係る電子機器において、前記比較部は、比較した結果に基づいて、前記充電状況であることを示すための閾値を設定し、所定時間に発電される前記発電量が、設定した前記閾値以上であるとき、前記充電に適した状況であると判別するようにしてもよい。
【００１０】
また、本発明の一態様に係る電子機器において、前記目標充電量は、当該電子機器の１日の消費電力量であり、前記閾値は、１日の前記消費電力量を前記所定時間で充電可能な前記発電量であるようにしてもよい。
【００１１】
また、本発明の一態様に係る電子機器において、１日の消費電力量は、実測された１日の消費電力、または当該電子機器は有する機能が使用された回数に基づいて算出した消費電力のいずれか１つであるようにしてもよい。
【００１２】
また、本発明の一態様に係る電子機器において、前記閾値は、前記所定時間で前記二次電池の残量が所定量増加する前記発電量であるようにしてもよい。
【００１３】
また、本発明の一態様に係る電子機器において、前記報知部は、前記第１の表示部と前記第２の表示部とが対称的に配置されているようにしてもよい。
【００１４】
また、本発明の一態様に係る電子機器において、前記報知部は、前記発電量に基づく情報を表示する第１の表示部と、前記二次電池の充電状態を表示する第２の表示部と、を備え、前記比較部は、前記充電状況を、前記第１の表示部に表示される情報、および前記第２の表示部に表示される前記二次電池の充電状態のうち、少なくとも１つの表示を変化させるようにしてもよい。
【００１５】
また、本発明の一態様に係る電子機器において、前記報知部は、複数に分割された連続し、円周状に６０個に分割された表示領域、を備え、前記第１の表示部が、基準とする角度に対して３０度から１５０度の範囲に配置され、前記第２の表示部が、基準とする角度に対して２１０度から２７０度の範囲に配置され、前記比較部は、前記表示領域に、計時情報を表示する動作モードのとき、前記計時情報を表示し、前記表示領域に、計時情報を表示する動作モード以外のとき、前記発電量に基づく情報と前記二次電池の充電状態を表示するようにしてもよい。
【００１６】
また、本発明の一態様に係る電子機器は、前記発電部の発電量に基づく値を検出する発電量検出回路と、当該電子機器が消費する電流を検出する消費電流検出回路と、前記二次電池の残量に基づく値を検出する電池残量検出回路と、外部機器と通信を行う通信部と、を備え、前記比較部は、前記通信部が通信を行うモードのとき、前記第１の表示部に前記二次電池の充電状態を表示し、前記第２の表示部に前記発電量に基づく情報を表示するようにしてもよい。
【００１７】
また、本発明の一態様に係る電子機器は、計時機能と、を備え、前記計時機能により計時された時刻を前記報知部に報知し、前記発電部が、太陽電池で構成されるようにしてもよい。
【００１８】
上記目的を達成するため、本発明の一態様に係る電子機器の制御方法は、環境変化に応じて発電量が変化する発電部と、前記発電部により発電された電力が充電される二次電池と、を有する電子機器の制御方法であって、比較部が、前記二次電池に充電される目標充電量と、前記発電部によって発電される電力量とを比較する比較ステップと、報知部が、前記比較ステップによって比較された結果に基づいて、前記充電に適した状況であることを示す充電状況を報知する報知ステップと、を含む。
【発明の効果】
【００１９】
本発明によれば、充電に適した状況であることをユーザが知ることができる。
【図面の簡単な説明】
【００２０】
【図１】本実施形態に係るデジタル時計の構成を示す構成図である。
【図２】二次電池Ｅの放電特性の一例を示す図である。
【図３】本実施形態に係る太陽電池の電流対電圧の特性と、抵抗値の関係の例を示す図である。
【図４】本実施形態に係る太陽電池の発電量の検出タイミングと二次電池の残量の検出タイミング、太陽電池の電圧変化の例を示す図である。
【図５】本実施形態に係る報知部に表示される情報の一例を示す図である。
【図６】本実施形態に係る二次電池の残量の一例を示す図である。
【図７】本実施形態に係る閾値の一例を示す図である。
【図８】本実施形態に係る発電レベル確認モードにおける処理のフローチャートである。
【図９】本実施形態に係る報知部に表示される発電レベルと電池残量の例を示す図である。
【図１０】本実施形態に係る発電レベル毎の表示例を示す図である。
【図１１】本実施形態に係る充電残量の表示の他の例を示す図である。
【図１２】本実施形態に係るデジタル時計の置かれる環境と表示される発電レベルの一例を示す図である。
【発明を実施するための形態】
【００２１】
以下、本発明の実施の形態について図面を参照しながら説明する。
図１は、本実施形態に係るデジタル時計１（電子機器）の構成を示す構成図である。なお、実施形態では、電子機器の一例として、デジタル時計１を例に説明するが、電子機器は、指針を備えるアナログ時計、スマートフォン、タブレット端末、腕時計型端末、携帯ゲーム機器等、太陽電池と二次電池と報知部を有する機器であってもよい。また、本実施形態では、発電部の例として太陽電池を例に説明するが、発電部は、電力を得ることができる機能部、例えば、熱を電気エネルギーに変換する機能部、電磁誘導等によるエネルギーを電気エネルギーに変換するワイヤレス給電部等であってもよい。
【００２２】
図１に示すように、デジタル時計１は、太陽電池Ｇ（発電部）、ダイオードＤ、二次電池Ｅ、ユニット１０、操作部２０、および報知部３０を備える。
また、ユニット１０は、過充電防止回路１１、照度検出回路１２、発電量検出回路１３、発振回路１４、分周回路１５、制御回路１６、および通信部１７を備える。
【００２３】
発電量検出回路１３は、スイッチＳＷ、検出素子１３１、発電検出制御回路１３２、およびＡＤ回路１３３を備える。また、検出素子１３１は、抵抗Ｒ１と抵抗Ｒ２を備える。
制御回路１６は、電池残量検出回路１０１、ＢＯＲ回路１０２、発振停止検出回路１０３、入力回路１０４、ＲＯＭ１０５、ＲＡＭ１０６、制御部１０７、表示駆動回路１０９、および電源回路１１０を備える。また、制御部１０７は、比較部１０８を備える。
電源回路１１０は、降圧回路１１１、発振定電圧回路１１２、ロジック定電圧回路１１３、昇圧電源回路１１４、および消費電流検出回路１１５を備える。
【００２４】
太陽電池Ｇは、例えばソーラーパネルである。太陽電池Ｇは、光エネルギーを電力に変換して、変換した電力を二次電池Ｅおよびユニット１０に供給する。太陽電池Ｇは、一端が、ダイオードＤのアノードと過充電防止回路１１と照度検出回路１２とスイッチＳＷの一端とに接続され、他端が、二次電池Ｅの負極と検出素子１３１の一端と制御回路１６に接続されている。また、太陽電池Ｇには、第１の回路と第２の回路とが並列に接続されている。なお、第１の回路とは、直接に接続されたダイオードＤと二次電池Ｅである。第２の回路とは、直接に接続されたスイッチＳＷと抵抗Ｒ２と抵抗Ｒ１である。
【００２５】
ダイオードＤは、カソードが、二次電池Ｅの正極と電池残量検出回路１０１とＢＯＲ回路１０２と降圧回路１１１とに接続されている。ダイオードＤは、二次電池Ｅから太陽電池Ｇへの逆流防止のために太陽電池Ｇと二次電池Ｅとの間に挿入されている。
二次電池Ｅは、太陽電池Ｇから供給された電気エネルギーを蓄える蓄電池である。二次電池Ｅは、蓄えた電力を制御回路１６に供給する。
【００２６】
操作部２０は、ユーザによる操作の入力を受け付け、受け付けた操作内容を示す情報を入力回路１０４に出力する。操作部２０は、竜頭（りゅうず）、ボタン、タッチパネルセンター等である。ユーザは、操作部２０を操作して、時刻合わせ、デジタル時計１の動作モードの切り替え、クロノグラフの計時の開始または停止の切り替え等を指示する。なお、動作モードとは、時刻表示モード、発電レベル確認モード、クロノグラフモード等の動作モードである。
【００２７】
ユニット１０は、太陽電池Ｇ、二次電池Ｅから供給された電力を用いて、時刻を計時し、計時した時刻を報知部３０に表示する。また、ユニット１０は、過充電にならないように制御して、太陽電池Ｇによって発電された電力を二次電池Ｅに充電するように制御する。また、ユニット１０は、太陽電池Ｇによって発電される発電量と二次電池Ｅの電圧値を検出し、検出した結果に基づいて、発電量、二次電池Ｅの電圧値、発電レベルを、報知部３０に表示する。また、ユニット１０は、外部装置２と、例えば有線の通信を行い、情報を送受信する。
【００２８】
過充電防止回路１１は、二次電池Ｅの充電電圧を検出し、検出した充電電圧が予め定められている閾値以上の電圧である場合、太陽電池Ｇからの電流が二次電池Ｅに流れないようにする。
【００２９】
照度検出回路１２は、太陽電池Ｇの電圧値を検出し、検出した電圧値と予め定められている閾値と比較することで、太陽電池Ｇに所定の照度以上の光が照射されているか否かを検出する。照度検出回路１２は、電圧値が閾値以上の場合に太陽電池Ｇに所定の照度以上の光が照射されていると検出し、電圧値が閾値未満の場合に太陽電池Ｇに所定の照度以上の光が照射されていないと検出する。照度検出回路１２は、検出した結果を制御回路１６に出力する。
【００３０】
発電量検出回路１３は、太陽電池Ｇへ検出素子１３１を接続し、太陽電池Ｇの発電量を検出し、検出した発電量に基づく値を制御回路１６に出力する。ここで、検出する発電量とは、発電量や、発電量に基づく何等かの値を含むものとする。
【００３１】
スイッチＳＷは、他端が検出素子１３１の他端に接続される。また、スイッチＳＷは、発電検出制御回路１３２によって、オン状態とオフ状態とが切り替わる。
抵抗Ｒ２は、一端がスイッチＳＷの他端に接続され、他端が抵抗Ｒ１の一端とＡＤ回路１３３の入力端に接続される。抵抗Ｒ１の他端は、太陽電池Ｇの他端と二次電池Ｅの負極とに接続される。なお、抵抗Ｒ１および抵抗Ｒ２の抵抗値の決め方は、後述する。
【００３２】
発電検出制御回路１３２は、制御部１０７が出力したスイッチＳＷを切り替えるタイミングを示す信号に応じてスイッチＳＷのオン状態とオフ状態を切り替える。また、発電検出制御回路１３２は、制御部１０７が出力する太陽電池Ｇの発電量を検出するタイミングを示す信号に応じて、ＡＤ回路１３３を動作させる。
【００３３】
ＡＤ回路１３３は、発電検出制御回路１３２が出力する太陽電池Ｇの発電量を検出するタイミングのとき、太陽電池Ｇの発電量に基づく値を、抵抗Ｒ１と抵抗Ｒ２との接続点の電圧値として検出する。ＡＤ回路１３３は、検出した電圧値を示す情報を制御部１０７に出力する。
【００３４】
発振回路１４は、水晶振動子を備え、水晶振動子の振動に基づいた所定周波数（例えば３２［ｋＨｚ］）の発振クロック信号を発生させる。発振回路１４は、発生させた発振信号を分周回路１５に出力する。
分周回路１５は、発振回路１４が出力した発振信号を分周して時刻計時に用いる例えば例えば１［Ｈｚ］の基準信号を生成する。分周回路１５は、生成した基準信号を制御回路１６に出力する。
【００３５】
制御回路１６は、太陽電池Ｇと二次電池Ｅが出力する電力を用いて、各部を駆動する。制御回路１６は、分周回路１５が出力する基準信号を用いて、時刻を計時する。また、制御回路１６は、照度検出回路１２が出力する検出結果に基づいて、報知部３０に表示する画像を切り替える。制御回路１６は、発電量検出回路１３が出力する電圧値を示す情報に基づいて、照度を算出する。制御回路１６は、二次電池Ｅの電池残量（以下、充電残量ともいう）を検出する。制御回路１６は、算出した照度に基づいて発電レベルを算出し、算出した発電レベルを報知部３０に表示させ、検出した充電残量を報知部３０に表示させる。制御回路１６は、所定時間に発電される発電量と目標充電量とを比較し、比較した結果に基づいて閾値を設定する。制御回路１６は、所定時間に発電される発電量が閾値以上の場合に、充電に適した状況であることを示す充電状況を、表示駆動回路１０９を介して報知部３０に表示させる。
【００３６】
電源回路１１０は、太陽電池Ｇが発電した電力および二次電池Ｅが蓄える電力を、所望の電圧値に変換し、変換した電圧値の電力をデジタル時計１の各構成要素に供給する。
降圧回路１１１は、太陽電池Ｇが発電した電力および二次電池Ｅが蓄える電力を、所望の電圧値に降圧して、降圧した電圧値の電力を発振定電圧回路１１２、ロジック定電圧回路１１３、および昇圧電源回路１１４に供給する。
【００３７】
発振定電圧回路１１２は、降圧回路１１１から供給された電力を用いて、発振回路１４に供給する定電圧を生成し、生成した定電圧を発振回路１４に供給する。
ロジック定電圧回路１１３は、降圧回路１１１から供給された電力を用いて、ロジック部に供給する定電圧を生成し、生成した定電圧をロジック部に供給する。なお、ロジック部は、少なくとも制御部１０７を含む。また、ロジック部は、電池残量検出回路１０１、ＢＯＲ回路１０２、発振停止検出回路１０３、入力回路１０４、ＲＯＭ１０５、ＲＡＭ１０６を含んでいてもよい。
【００３８】
昇圧電源回路１１４は、降圧回路１１１から供給された電力を、所望の電圧値に昇圧して、昇圧した電圧値の電力を表示駆動回路１０９に供給する。
消費電流検出回路１１５は、制御回路１６で消費される消費電力または消費電流を検出し、検出した結果を制御部１０７に出力する。
【００３９】
電池残量検出回路１０１は、制御部１０７が出力する検出タイミングのとき、充電残量を検出し、検出した充電残量を制御部１０７に出力する。なお、電池残量検出回路１０１は、例えば二次電池Ｅの正極とダイオードＤのカソードとの接続点の電圧を検出し、二次電池Ｅの電池電圧に対する電池容量を示した放電特性に基づいて充電残量を検出する。図２は、二次電池Ｅの放電特性の一例を示す図である。図２において、横軸は容量（ｍＡｈ）、縦軸は電圧（Ｖ）を示す。横軸の容量は放電容量である。電池残量検出回路１０１は、図２に示したような電圧と容量の関係を表形式または数式等を自部に記憶している。そして、電池残量検出回路１０１は、検出した電池電圧に基づいて現在の容量を検出し、検出した容量に基づいて充電残量を検出する。例えば、電池電圧が２．５Ｖであれば、容量が約３．０ｍＡｈである。フル充電（満充電）のときの容量が６．０ｍＡｈであれば、電池残量検出回路１０１は、充電残量を５０％（＝６．０／３．０）として検出する。
【００４０】
ＢＯＲ（Ｂｒｏｗｎ−ｏｕｔ  Ｒｅｓｅｔ；ブラウンアウトリセット機能）回路１０２は、二次電池Ｅの電圧の瞬時低下等を監視する回路であり、監視した結果を、制御部１０７に出力する。
【００４１】
発振停止検出回路１０３は、分周回路１５が出力する基準信号を監視し、発振が停止しているか否かを検出する。発振停止検出回路１０３は、発振が停止していると検出した場合、検出した結果を制御部１０７に出力する。
入力回路１０４は、操作部２０が出力する操作内容を示す情報を取得し、取得した操作内容を示す情報を制御部１０７に出力する。また、入力回路１０４は、不図示の携帯端末等から情報を受信する通信装置を有していてもよい。
【００４２】
ＲＯＭ（Ｒｅａｄ  Ｏｎｌｙ  Ｍｅｍｏｒｙ；読み出し専用メモリ）１０５は、デジタル時計１を制御するプログラム、所定時間を示す情報、各閾値、表示情報等を記憶する。
ＲＡＭ（Ｒａｎｄｏｍ  Ａｃｃｅｓｓ  Ｍｅｍｏｒｙ；）１０６は、デジタル時計１の動作モード、計時した結果等、デジタル時計１における動作時のデータを一時的に制御部１０７によって記憶する。
【００４３】
制御部１０７は、電源回路１１０のロジック定電圧回路１１３が供給する電力と分周回路１５が出力する基準信号を用いて、自部およびデジタル時計１の各構成要素を、ＲＯＭ１０５が記憶するプログラムに応じて制御する。制御部１０７は、入力回路１０４が出力する操作内容を示す情報に応じて、デジタル時計１の各構成要素を制御する。制御部１０７は、操作内容を示す情報に発電レベル確認モードへの切替指示が含まれる場合、スイッチＳＷを切り替えるタイミングを示す信号と、太陽電池Ｇの電圧値を検出するタイミングを示す信号と、二次電池Ｅの電圧値を検出するタイミングを示す信号と、を生成する。制御部１０７は、生成したスイッチＳＷを切り替えるタイミングを示す信号と、太陽電池Ｇの電圧値を検出するタイミングを示す信号とを、発電検出制御回路１３２に出力する。また、制御部１０７は、生成した二次電池Ｅの残量を検出するタイミングを示す信号を、電池残量検出回路１０１に出力する。制御部１０７は、発電量検出回路１３が出力する電圧値を示す情報に基づいて、照度を算出する。制御部１０７は、電池残量検出回路１０１が出力する充電残量を報知部３０に表示する。制御部１０７は、照度に基づいて発電レベルを算出し、算出した発電レベルを報知部３０に表示する。制御部１０７は、発電レベル、充電残量、および制御回路１６の消費電力のうち少なくとも１つを用いて閾値を設定する。なお、閾値は、予め定められている所定値であってもよい。制御部１０７は、発電レベルと閾値とを比較して、比較した結果を充電状況として報知部３０に報知する。なお、閾値および閾値との比較方法については、後述する。
【００４４】
また、制御部１０７は、照度検出回路１２が出力する検出した結果に基づいて、報知部３０の表示状態を切り替えるように制御する。例えば、制御部１０７は、検出結果が太陽電池Ｇに所定の照度以上の光が照射されている場合に表示を行い、検出結果が太陽電池Ｇに所定の照度以上の光が照射されていない場合に表示を行わない（消灯する）省電力モードに切り替えるように制御する。なお、制御部１０７は、省電力モードにおいて、時刻の計時に関わらない機能部をスリープ状態に制御するようにしてもよい。また、制御部１０７は、発振停止検出回路１０３が発振停止したことを検出したとき、例えば各機能部に対してリセットを行う。
【００４５】
表示駆動回路１０９は、制御部１０７が出力する情報（時刻、充電残量、発電レベル、充電状況等）を、報知部３０に表示させる。
【００４６】
通信部１７は、例えばＷｉ−Ｆｉ規格や、Ｂｌｕｅｔｏｏｔｈ（登録商標）  ＬＥ（Ｌｏｗ  Ｅｎｅｒｇｙ）（以下、ＢＬＥという）規格の通信方式を用いて、制御部１０７の制御に応じて外部装置２との間で情報の送受信を行う。通信部１７は、ＧＰＳ（Ｇｌｏｂａｌ  Ｐｏｓｉｔｉｏｎｉｎｇ  Ｓｙｓｔｅｍ；全地球測位システム）やＧＮＳＳ（Ｇｌｏｂａｌ  Ｎａｖｉｇａｔｉｏｎ  Ｓａｔｅｌｌｉｔｅ  Ｓｙｓｔｅｍ；衛星航法システム）等の衛星からの位置情報等を取得可能な機能を備えていてもよい。
【００４７】
報知部３０は、情報を報知する装置である。報知部３０は、例えば表示装置であり、液晶表示装置（ＬＣＤ）や有機ＥＬ（エレクトロルミネッセンス）表示装置によって構成される。報知部３０には、時刻の表示以外に、照度を示す情報、二次電池Ｅの電圧値、所望の発電量が得られる状態であるか否かを示す情報の表示画面等が、表示または音や振動等によって報知される。
【００４８】
外部装置２は、例えばスマートフォン（多機能携帯電話）、タブレット端末、パーソナルコンピュータ、携帯ゲーム機器、ホームネットワーク機器、車載システム機器等である。
なお、デジタル時計１は、気圧センサー、温度センサー、加速度センサー、重力センサー、ＧＰＳ（Ｇｌｏｂａｌ  Ｐｏｓｉｔｉｏｎｉｎｇ  Ｓｙｓｔｅｍ；全地球測位システム）等を備えていてもよい。
なお、デジタル時計１が送信する情報は、例えば時刻情報、発電レベル、充電残量等である。また、外部装置２が送信する情報は、例えばデジタル時計１への指示情報（例えば、動作モードの切り替え指示）等である。
【００４９】
次に、検出素子１３１の抵抗Ｒ１と抵抗Ｒ２の抵抗値の決め方の例を説明する。
図３は、本実施形態に係る太陽電池Ｇの電流対電圧の特性と、抵抗値の関係の例を示す図である。図３において、横軸は電圧［Ｖ］、縦軸は電流［Ａ］である。
【００５０】
また、曲線ｇ１は、５００［ｌｘ（ルクス）］が太陽電池Ｇに照射された特の電流対電圧の特性（以下、Ｉ−Ｖ特性という）である。曲線ｇ２は、５０００［ｌｘ］が太陽電池Ｇに照射された特のＩ−Ｖ特性である。曲線ｇ３は、５００００［ｌｘ］が太陽電池Ｇに照射された特のＩ−Ｖ特性である。曲線ｇ４は、１０００００［ｌｘ］が太陽電池Ｇに照射された特のＩ−Ｖ特性である。なお、このようなＩ−Ｖ特性は、太陽電池Ｇのセル数等、太陽電池Ｇの特性によって決まる。なお、照度は、例えば、事務所等における蛍光灯の照度が約４００〜５００［ｌｘ］であり、晴天の昼間における外の照度が約１０万［ｌｘ］である。
【００５１】
曲線ｇ１において、点ｐ１に示すように、電流Ｉ１のとき電圧がＶ１である。曲線ｇ２において、点ｐ２に示すように、電流Ｉ２のとき電圧がＶ２である。曲線ｇ３において、点ｐ３に示すように、電流Ｉ３のとき電圧がＶ３である。曲線ｇ４において、点ｐ４に示すように、電流Ｉ４のとき電圧がＶ４である。なお、点ｐ１〜点ｐ４は、破線ｇ５で囲んだ領域のように、電圧が変化しても電流がほぼ直線の領域の点である。
【００５２】
このような点ｐ１、点ｐ２、点ｐ３、および点ｐ４が通る直線ｇ１０を求め、この直線ｇ１０の傾きの逆数１／Ｒとなるように抵抗値Ｒを、予め設計者が設定する。
なお、点ｐ４における電圧Ｖ４は、二次電池Ｅの満充電の電圧（例えば２．６［Ｖ］）より低くなるように選択する。
【００５３】
次に、太陽電池Ｇの発電量の検出方法と、二次電池Ｅの電池電圧の検出方法について説明する。
なお、本実施形態では、照度を発電量とする。一般的に、照度は、ほぼ電流に比例する。このため、制御部１０７は、ＡＤ回路１３３が出力した電圧値を、ＲＯＭ１０５が記憶する検出素子１３１の抵抗Ｒ１の抵抗値で除算することで、電流値を算出する。そして、制御部１０７は、算出した電流値に基づいて、照度を推定する。また、太陽電池Ｇに照射される照度とこの照度に対して抵抗Ｒ１に生じる電圧値との相関式から照度を推定してもよい。
【００５４】
図４は、本実施形態に係る太陽電池Ｇの発電量の検出タイミングと二次電池Ｅの残量の検出タイミング、太陽電池Ｇの電圧変化の例を示す図である。
図４において、横軸は時刻、縦軸は電圧を表す。波形ｇ１１は、太陽電池Ｇの電圧変化を示す。また、点ｐ１１は、検出タイミングを表す。
波形ｇ１２は、スイッチＳＷのオン状態とオフ状態を表す。なお、波形ｇ１２において、ハイレベルがオン状態（ＯＮ）であり、ローレベルがオフ状態（ＯＦＦ）である。波形ｇ１３は、太陽電池Ｇの発電量を検出するタイミング（ＡＤ回路１３３が電圧値を出力するタイミング）を示している。波形ｇ１３は、二次電池Ｅの電圧を検出するタイミングを示している。
【００５５】
時刻ｔ１のとき、発電検出制御回路１３２は、スイッチＳＷをオン状態に切り替える。
ＡＤ回路１３３は、時刻ｔ１〜時刻ｔ２の期間（期間Ｔ２）、制御部１０７の指示に応じて、抵抗Ｒ１に発生する電圧値を期間Ｔ３毎に検出することで、発電量を検出する。なお、制御部１０７は、ＡＤ回路１３３が出力した電圧を示す情報のうち、時刻ｔ２のときの電圧に基づいて発電量を算出する。
【００５６】
このように、スイッチＳＷをオン状態に切り替えることで、太陽電池Ｇと並列に接続されている抵抗Ｒ１と抵抗Ｒ２に電流が流れる。太陽電池Ｇによって発電された電力が抵抗Ｒ１とＲ２に流れることによって、太陽電池Ｇの電圧が、波形ｇ１１のように徐々に下がっていく。なお、太陽電池Ｇの電圧が二次電池Ｅの電圧より低くなった場合は、ダイオードＤにより、二次電池Ｅから太陽電池Ｇへの逆流が発生しない。
【００５７】
時刻ｔ２のとき、太陽電池Ｇの発電により上昇していた電圧分が減少して、所定の電圧値Ｖｔに落ち着く。
時刻ｔ２から期間Ｔ３後の時刻ｔ３のとき、電池残量検出回路１０１は、制御部１０７の指示に応じて二次電池Ｅの電圧を検出する。
二次電池Ｅの電圧検出後の時刻ｔ４のとき、制御部１０７は、スイッチＳＷをオン状態からオフ状態に切り替える。
これにより、太陽電池Ｇの電圧は、波形ｇ１１のように時刻ｔ５のとき、スイッチＳＷがオン状態にされた時刻ｔ１の状態に戻る。なお、期間Ｔ１は、太陽電池Ｇと二次電池Ｅそれぞれの電圧の検出周期であり、例えば５秒である。また、期間Ｔ３は、例えば０．５秒である。
【００５８】
図４に示した例では、１周期分の検出例を説明したが、制御部１０７は、利用者が動作モードを発電レベル確認モードに切り替える間、このような検出を繰り返す。なお、二次電池Ｅの消耗、太陽電池Ｇの発電を二次電池Ｅへ充電するため、予め定められている回数検出した後、検出を終了するようにしてもよい。
【００５９】
このように、本実施形態では、太陽電池Ｇに抵抗Ｒ１と抵抗Ｒ２を接続した状態で、まず、太陽電池Ｇの発電量を検出後、スイッチＳＷをオン状態にしてから所定の時間後の時刻ｔ３、すなわち、太陽電池Ｇの電圧が落ち着いた後に二次電池Ｅの電圧を検出する。
これにより、本実施形態によれば、太陽電池Ｇの発電による電圧上昇分の影響を避けて二次電池Ｅの電圧を精度良く検出することができる。
【００６０】
なお、上述した例では、スイッチＳＷをオン状態に切り替えた後、所定の期間Ｔ２後に二次電池Ｅの電圧を検出する例を説明したが、これに限られない。制御部１０７は、ＡＤ回路１３３が出力した電圧を示す値が、例えば電圧値Ｖｔに対して予め定められている範囲に入ったとき、電圧値が落ち着いたと判定し、電池残量検出回路１０１に二次電池Ｅの電圧値を検出するように指示するようにしてもよい。
【００６１】
次に、報知部３０に表示される情報の一例を説明する。
図５は、本実施形態に係る報知部３０に表示される情報の一例を示す図である。
図５に示すように、デジタル時計１は、ケース４０、ベルト５０をさらに備える。図１に示したユニット１０、太陽電池Ｇ、ダイオードＤ、二次電池Ｅは、ケース４０内に収められている。また、操作部２０は、ボタン２０Ａ〜２０Ｃを備える。なお、図５に示す例は、発電レベル確認モードにおける表示例である。
【００６２】
報知部３０上には、時刻表示３０１、秒表示３０２、二次電池Ｅの残量表示３０３（第２の表示部）、および発電レベルの表示３０４（第１の表示部）が含まれる。また、図５に示す例は、報知部３０が、略円形の例である。
時刻表示３０１は、計時された時刻のうちの時間と分の表示である。なお、図５では、時刻をデジタル表示する例を示しているが、時刻を指針の画像を用いて表示するようにしてもよい。
秒表示３０２は、計時された時刻のうちの秒の表示である。図５に示す例では、報知部３０の外周に６０等分されたドットを備える。すなわち、秒表示３０２は、複数に分割された連続する表示領域を有する。秒表示３０２は、時刻表示モードのときに、例えば、１秒のときに１ドット目が点灯し、１５秒のときに１〜１５ドット目が点灯し、３０秒のときに１〜３０ドット目が点灯する。なお、制御部１０７は、時刻表示モードのときに秒表示を行い、発電レベル確認モードのときに秒表示を行わない。なお、上述した分割数は一例であり、これに限られない。
【００６３】
二次電池Ｅの残量表示３０３は、検出された充電残量の表示である。
発電レベルの表示３０４は、算出された発電レベルの表示である。
また、二次電池Ｅの残量表示３０３と発電レベルの表示３０４それぞれは、秒表示３０２を複数に分割された連続する表示領域において、異なる領域に表示される。
また、図５に示す例では、二次電池Ｅの残量表示３０３の１ドットを点滅されることで充電残量の表示を行っている例である。
【００６４】
なお、実施形態では、発電レベル確認モードのときに発電レベルを推定して表示する例を説明したが、これに限られない。例えば、時刻を表示する以外のモードが選択された場合に、発電レベルを推定して表示するようにしてもよい。
【００６５】
次に、二次電池Ｅの残量について説明する。
図６は、本実施形態に係る二次電池Ｅの残量の一例を示す図である。図６において、横軸は容量（ｍＡｈ）、縦軸は電圧（Ｖ）を示す。なお、縦軸の容量は残容量である。図６に示す例では、容量Ｑ１０１から容量Ｑ１０２の区間の電圧は略Ｖ１０１である。本実施形態では、容量とともに電圧が変化する領域ｇ１００（容量Ｑ１０２から容量Ｑ１０３の期間）について、図５に示したように例えば１０等分して二次電池Ｅの残量表示３０３に表示する。例えば容量Ｑ１０２のときの電圧Ｖ１０１が二次電池Ｅの残量（充電残量）が０であり、容量Ｑ１０３のときの電圧Ｖ１０２が二次電池Ｅの残量（充電残量）が１０である。
【００６６】
次に、発電レベルの算出について説明する。
制御部１０７は、検出された照度を用いて、発電レベルを算出する。照度は、晴れた日の野外が約１０万ｌｘ（ルクス）程度であり、晴れた日の窓際が約１万ｌｘであり、曇りの日の窓際が約３０００ｌｘであり、蛍光灯下の屋内が約７００ｌｘである。このように、照度の値の範囲が広く、最小値と最大値との比が１００倍以上であるため、本実施形態では、発電レベルを対数の関係を用いて算出する。
例えば、照度が１０万ｌｘを発電レベル１０とし、照度が１万ｌｘを発電レベル５とし、照度が３０００ｌｘの発電レベルを１とし、照度が１０００ｌｘ以下の発電レベルを０とする。ＲＯＭ１０５は、このような照度と発電レベルとの対応関係を表形式または関係式塔で予め記憶する。そして、制御部１０７は、ＲＯＭ１０５を参照して、発電レベルを算出（決定）する。
【００６７】
次に、充電残量の閾値について説明する。
本実施形態では、以下の閾値のうち１つを用いる。
Ｉ．所定値
ＩＩ．１時間後の二次電池Ｅの残量に応じた値
ＩＩＩ．１時間の発電量と、所定活動時間に必要な電力に基づく値
【００６８】
（Ｉ．所定値）
まず、所定値について説明する。所定値は、ＲＯＭ１０５が予め記憶する値である。
図７は、本実施形態に係る閾値の一例を示す図である。図７において、横軸は閾値、縦軸はｌｏｇ（照度）である。なお、図７に示す例では、閾値が発電レベルと一致している例である。また、図７に示すように、制御部１０７は、上述したように発電レベルを対数の関係を用いて設定するようにしてもよい。所定値は、例えば照度１万ｌｘに対応する５である。このように、対数表示で線形（比例関係）として設定することで、室内も屋外も対応することができる。
なお、ＲＯＭ１０５は、図７に示したように複数の所定値を記憶していてもよい。この場合、制御部１０７は、操作部２０が操作された結果に応じて、デジタル時計１が使われる環境や状況（例えば、登山、スキー、ハイキング、ヨットレース、マラソン等）に応じて、複数の所定値の中から選択するようにしてもよい。
【００６９】
（ＩＩ．２時間後の二次電池Ｅの残量に応じた値）
次に、所定時間（例えば２時間）後の二次電池Ｅの残量に応じて制御部１０７が設定する閾値の例を説明する。
例えば、２時間後の二次電池Ｅの残量（充電残量）が１００％になる照度を閾値とする。なお、２時間後の二次電池Ｅの残量の目標値は一例であり、１００％に限られず例えば９０％、８０％等であってもよい。また、目標値は、固定値であってもよく、または、充電残量に対する増加分であってもよい。
この場合は、照度が同じであっても、充電残量に応じて、目標値の二次電池Ｅの残量に達するまでにかかる時間が変化する。例えば、目標値が現在の充電残量に対する増加分であり１０％の場合、発電レベルが５以上の場合に、この目標値の充電残量に２時間後達するのであれば、閾値は５である。制御部１０７は、このように、２時間後の二次電池Ｅの残量に応じて閾値を設定する。
【００７０】
（ＩＩＩ．２時間の発電量と、所定活動時間に必要な電力に基づく値）
次に、所定時間（例えば２時間）の発電量と、所定活動時間に必要な電力に基づく値に応じて制御部１０７が設定する閾値の例を説明する。
ＲＯＭ１０５は、デジタル時計１が所定活動時間（例えば２４時間）に消費する電力量または電流値の平均値を予め記憶する。制御部１０７は、ＲＯＭ１０５が記憶する平均値を、現在の発電量が所定時間の間に継続された場合に発電可能である発電量を閾値とする。
例えば、２４時間で消費される電力量の平均値が０．１ｍＡｈであるとする。この場合は、２４時間で２．４ｍＡｈ（＝０．１×２４）の消費が見込まれる。制御部１０７は、４時間で充電したい場合の閾値を０．６ｍＡｈとする。このように、本実施形態では、所定活動時間に消費すると想定される消費量に加え、想定する充電時間（所定時間）も考慮して、閾値を決定する。
または、制御部１０７は、過去に実際に消費された電力量を検出してＲＯＭ１０５に記憶させるようにしてもよい。この場合、ＲＯＭ１０５には、機能毎に消費される電力量を予め記憶する。制御部１０７は、各機能部が使用された回数をカウントしてＲＯＭ１０５に記憶させ、ＲＯＭ１０５が記憶する情報を用いて、過去２４時間の消費電力の平均値を算出するようにしてもよい。この場合、制御部１０７は、算出した平均値を、現在の発電量が継続された場合に発電可能である発電量を閾値とする。
なお、所定活動時間は、予め定められた値であってもよく、操作部２０が操作された結果に応じて、デジタル時計１が使われる環境や状況（例えば、登山、スキー、ハイキング、ヨットレース、マラソン等）に応じて複数の所定値の中から制御部１０７が選択するようにしてもよい。
また、ＩＩおよびＩＩＩで説明した所定時間は１例であり、これに限られない。所定時間は２時間より短い１時間や３０分であってもよく、または２時間より長い２時間半や３時間以上であってもよい。
【００７１】
次に、充電状況の判別方法について説明する。
図８は、本実施形態に係る発電レベル確認モードにおける処理のフローチャートである。なお、図８に示す処理は、閾値が所定値の５である例である。
【００７２】
（ステップＳ１）制御部１０７は、入力回路１０４が出力する情報に基づいて、発電レベル確認モードであるか否かを判別する。制御部１０７は、発電レベル確認モードであると判別した場合（ステップＳ１；ＹＥＳ）、ステップＳ２の処理に進め、発電レベル確認モードではないと判別した場合（ステップＳ１；ＮＯ）、ステップＳ１の処理を繰り返す。
【００７３】
（ステップＳ２）制御部１０７は、発電検出制御回路１３２へスイッチＳＷをオン状態に切り替える指示を出力する。続けて、発電検出制御回路１３２は、制御部１０７が出力した指示に応じて、スイッチＳＷをオン状態に切り替える。
【００７４】
（ステップＳ３）ＡＤ回路１３３は、発電検出制御回路１３２が出力する検出のタイミング毎に抵抗Ｒ１に発生する電圧値を検出して、検出した電圧値を示す情報を制御部１０７に出力する。続けて、制御部１０７は、ＡＤ回路１３３が出力した電圧値を示す情報に基づいて、照度を推定する。
【００７５】
（ステップＳ４）制御部１０７は、所定の時間（図４の期間Ｔ２）が経過したか否かを判別する。なお、制御部１０７は、例えば分周回路１５が出力する基準信号を用いて経過時間をカウントする。制御部１０７は、所定の時間が経過したと判別した場合（ステップＳ４；ＹＥＳ）、ステップＳ５の処理に進め、所定の時間が経過していないと判別した場合（ステップＳ４；ＮＯ）、ステップＳ３に処理を戻す。
【００７６】
（ステップＳ５）制御部１０７は、電池残量検出回路１０１に二次電池Ｅの残量を検出するタイミングの指示を出力する。続けて、電池残量検出回路１０１は、残量を検出するタイミングのとき、二次電池Ｅの残量を検出し、検出した残量を示す情報を制御部１０７に出力する。続けて、制御部１０７は、電池残量検出回路１０１が出力した二次電池Ｅの残量を示す情報を取得する。
【００７７】
（ステップＳ６）制御部１０７は、取得した太陽電池Ｇの発電量（照度、電圧値、電流値のうちの少なくとも１つ）に基づいて、発電レベルを推定する。
【００７８】
（ステップＳ７）制御部１０７は、推定した発電レベルと、ＲＯＭ１０５が記憶する所定値の閾値と比較する。制御部１０７は、発電レベルが５以上であるか否かを判別する。制御部１０７は、発電レベルが５以上であると判別した場合（ステップＳ７；ＹＥＳ）、ステップＳ８に処理を進め、発電レベルが５未満であると判別した場合（ステップＳ７；ＮＯ）、ステップＳ１に処理を戻す。
【００７９】
（ステップＳ８）制御部１０７は、二次電池Ｅの二次電池Ｅの残量表示３０３において、残量を表示するドットのうち、最も“Ｆ”に近いドットを点滅させることで、充電状況を報知する。このように、充電状況を報知した場合、充電に適した状況であることを報知している。制御部１０７は、処理後、ステップＳ１の処理に戻す。
【００８０】
次に、報知部３０に表示される発電レベルと電池残量の例を説明する。
図９は、本実施形態に係る報知部３０に表示される発電レベルと電池残量の例を示す図である。
図５を用いて説明したように、報知部３０上には、秒表示３０２、二次電池Ｅの残量表示３０３、および発電レベルの表示３０４が含まれる。
秒表示３０２は、０時（１２時）の位置のドットが３０２（６０）であり、時計回りに、６０個のドット３０２（１）、・・・、３０２（３０）、・・・３０２（６０）を備える。
【００８１】
図９に示す例では、略１時〜略５時の秒表示３０２に発電レベルが表示される。すなわち、１２時を基準としたとき、略３０度〜略１５０度の範囲に発電レベルの表示３０４が配置される。略５時の“０”の位置は、発電レベルが０であることを表し、略１時の“１０”の位置は、発電レベルが１０であることを表す。
図９に示す例は、発電レベルが６の例である。この場合、図７に示すように、略５時の位置から略２時半の位置までのドットが点灯する。
【００８２】
図９において、破線３１０で囲んだ領域は、発電レベルが５以上であるか否かを判別するエリアを示している。破線３１０で囲んだ領域に示すように、発電レベルが５以上の場合、制御部１０７は、二次電池Ｅの残量のドットを点滅させることで充電状況を報知する（充電表示あり）。また、破線３１０で囲んだ領域に示すように、発電レベルが５未満の場合、制御部１０７は、二次電池Ｅの残量のドットを点滅させないことで充電状況を報知しない（充電表示なし）。
【００８３】
また、略７時〜略９時の秒表示３０２に二次電池Ｅの残量の表示が表示される。すなわち、１２時を基準としたとき、略２１０度〜略２７０度の範囲に二次電池Ｅの残量表示３０３が配置される。略７時の“Ｅ”の位置は、二次電池Ｅの残量が所定の電圧値以下であり、充電が必要なことを表す。また、略９時の“Ｆ”の位置は、二次電池Ｅの残量がフル充電状態であることを表す。
図９に示す例は、二次電池Ｅの残量が７０％（＝７／１０）であり、略７時からドットが７つ点灯している。そして、発電レベルが５以上であるため、略７時から７つ目の最も“Ｆ”に近いドットを点滅させることで、充電状況の報知を行っている。なお、充電状況とは、前述したように、発電量が充分であり、二次電池Ｅの残量が増えている、充電されていることを示す。
【００８４】
図１０は、本実施形態に係る発電レベル毎の表示例を示す図である。
符号ｇ３０２は、発電レベルが２のときの表示であり、符号ｇ３０４は、発電レベルが４のときの表示であり、符号ｇ３０６は、発電レベルが６のときの表示である。符号ｇ３０８は、発電レベルが８のときの表示であり、符号ｇ３１０は、発電レベルが１０のときの表示である。なお、制御部１０７は、発電レベルが奇数（１，３，５，７，９）のときにも表示を行うようにしてもよい。
【００８５】
なお、図９と図１０に示した表示例は一例であり、これに限られない。例えば、二次電池Ｅの残量表示３０３、および発電レベルの表示３０４の配置は、互いに対称的に配置することができる。例えば、時計画面の１２時と６時とを結ぶ線分３１１を中心に左右逆（線対称）であってもよく、あるいは、時計画面の３時と９時とを結ぶ線分３１２を中心に上下に対向（線対称）するように配置されていてもよく、時計画面の中心点３１３を対称点として斜めに対向（点対称）するように配置されていてもよい。
【００８６】
また、図９と図１０に示した例は、秒表示３０２を二次電池Ｅの残量表示３０３、および発電レベルの表示３０４に兼用した例であり、二次電池Ｅの残量表示３０３、および発電レベルの表示３０４の報知方法は他の方法であってもよい。
例えば、二次電池Ｅの残量表示３０３または発電レベルの表示３０４を報知部３０内にアイコン、バーグラフ、ピクトグラム等で表示するようにしてもよい。そして、二次電池Ｅの残量表示３０３または発電レベルの表示３０４の表示は、例えば“Ｅ”から“Ｆ”にドットが増えてくように変化させてもよい。また、図５、９、１０に示した例では、ドットを点灯させる例を示したが、反転させて、必要な情報のドットのみを消灯させるようにしてもよい。
【００８７】
図９に示した例では、充電状況を充電残量の１ドットを変化させて報知する例を説明したが、これに限られない。制御部１０７は、例えば、発電レベルの表示を点滅させてもよい。
または、制御部１０７は、充電残量の表示を変化させることで、充電状況を報知するようにしてもよい。
図１１は、本実施形態に係る充電残量の表示の他の例を示す図である。図１１に示す例では、制御部１０７が、二次電池Ｅの残量表示３０３の表示のうち、破線３０５で囲んだ領域のドットを点灯と点滅を所定の時間周期で所定の回数繰り返すことで、充電状況を報知する。このように、制御部１０７は、報知部３０の表示を変化させることで、充電状況を報知するようにしてもよい。この場合であっても、制御部１０７は、発電レベルの表示３０４を変化させてもよい。すなわち、制御部１０７は、二次電池Ｅの残量表示３０３と発電レベルの表示３０４のうち少なくとも１つを変化させることで、充電状況を報知するようにしてもよい。
【００８８】
次に、デジタル時計１の置かれる環境と表示される発電レベルの一例を説明する。
図１２は、本実施形態に係るデジタル時計１の置かれる環境と表示される発電レベルの一例を示す図である。図１２の符号ｇ３０１は、位置を示す図であり、符号ｇ３０２は、位置と発電レベルと充電状況の関係の例を示す表である。また、図１２に示す例は、閾値が所定値の５の例である。
【００８９】
位置ａ１は、山小屋内のランプ下のテーブル上であり、位置ａ２は、山小屋内の窓際に設置されている物入れの上であり、位置ａ３は、野外で荷物の影となる位置であり、位置ａ４と位置ａ５は、野外である。なお、各位置の照度の大小関係は、位置ａ１の照度が最も低く、位置ａ５の照度が最も高く、ａ１＜ａ２＜ａ３＜ａ４＜ａ５の関係である。
【００９０】
充電残量は、二次電池Ｅの残量が７であるため、二次電池Ｅの残量表示３０３（図９）に“７”を示すように表示され、すなわち“Ｅ”から７ドット表示される。
発電レベルは、発電レベルの表示３０４（図９）に、位置ａ１の場合が“０”、位置ａ２の場合が“１”、位置ａ３の場合が“５”、位置ａ４の場合が“８”、位置ａ５の場合が“１０”が表示される。
また、発電レベルが５以上の位置ａ３〜位置ａ５において、二次電池Ｅの残量表示３０３が点滅することで充電状況が報知される。
【００９１】
このように、利用者は、報知部３０上に表示される充電状況を確認することで、充電に最適な状況、すなわち照度が充電に十分な場所を見つけることができる。図１２に示した例では、利用者は、充電状況の点滅を確認することで、位置ａ３〜位置ａ５にデジタル時計１を置いたときに、必要な電力が充電できる最適な位置を見つけることができる。さらに、利用者は、発電レベルの表示も確認することで、位置ａ５が最も発電レベルが高い位置であることを知ることができる。なお、先に位置ａ３を見つけた場合、その環境で充電レベルが十分であるため、利用者は、別の位置を探す必要がなくなる。
【００９２】
前述したように所定活動量を閾値として、二次電池Ｅの残量が少ない場合、例えば位置ａ５のみが発電レベルが５以上になる場合もありえる。このような場合、本実施形態のような充電状況の表示機能を有していないデジタル時計では、利用者が野外である位置ａ４や位置ａ３にデジタル時計を置くことで充分な発電量が得られると考えてしまう場合もありあえる。本実施形態によれば、利用者は、デジタル時計１を何カ所かに置き、報知部３０の充電状況の表示を確認することで、２４時間の活動に必要な発電量が得られる位置ａ５を知ることができる。
また、二次電池Ｅの残量が９０％の場合、例えば位置ａ２でも２４時間の活動に必要な発電量が得られる。この場合、利用者は、例えば位置ａ１と位置ａ２にデジタル時計１を置いて報知部３０の表示される情報を比べることで、２４時間の活動に必要な発電量が得られる位置ａ２を知ることができる。
【００９３】
また、図５、図９、図１０に示した例では、現在の二次電池Ｅの残量と現在の発電レベルを表示する例を説明したが、これに限られない。
例えば、利用者が、最初にデジタル時計１を置いた場所の発電レベルが６であった場合、制御部１０７は、発電レベルが６の位置に対応するドット、例えば３０２（１３）（図８）を点灯したまま例えば３０秒間ホールドするようにしてもよい。利用者は、発電レベルがさらに高い置き場所を探すとき、何カ所か置き場所を変えたり置く角度を変える。この場合、利用者はホールドされた６を確認しながら他の場所にデジタル時計１を置いたときの報知を見比べて、より高い発電レベルが表示される場所を探すことができる。なお、例えば、発電レベルの表示３０４をさらに内周に設けて二重にし、内周側か外周側にホールドしている発電レベルを表示するようにしてもよい。
【００９４】
本実施形態によれば、発電レベルと閾値とを比較することで、充電状況を報知するようにしたので、利用者は、デジタル時計１を効率よく充電を行うことができる状況であるか知ることができる。
特に、通信部１７を用いて外部装置２と通信を行っている場合や、ＧＰＳを用いている場合は、通信を行っていない場合と比較して消費電力が大きい。このため、効率良く充電できる場所を見つけて、効率良く充電を行うことが重要である。本実施形態によれば、利用者は、充電状況を確認することで、デジタル時計１を効率良く充電できる場所を見つけることができる。
【００９５】
以上、本発明の実施形態について説明したが、本発明は、上記実施形態に限定されるものではなく、本発明の趣旨を逸脱しない範囲において種々の変更を加えることが可能である。
例えば、実施形態では、照度、二次電池Ｅの残量、および充電状況を報知部３０に表示する例を説明したが、報知部３０は、音声、ランプ等の点滅、振動等で報知するようにしてもよい。または、上述した表示情報に加え、音や振動によって報知するようにしてもよい。例えば、発電レベルが閾値以上の場合、充電状況を点滅させて表示して、さらに「ピッ」音を報知するようにしてもよい。
【００９６】
また、実施形態では、報知部３０が液晶表示装置であり、照度、二次電池Ｅの残量、充電状況を画像で表示する例を説明したがこれに限られない。例えば、報知部３０は、指針であってもよい。この場合、ユニット１０は、ステッピングモータを備え、制御部１０７が、ステッピングモータを駆動して、照度、二次電池Ｅの残量、発電量を指針で報知するようにしてもよい。
【００９７】
なお、本発明における制御部１０７、制御回路１６、ユニット１０の機能の全てまたは一部を実現するためのプログラムをコンピュータ読み取り可能な記録媒体に記録して、この記録媒体に記録されたプログラムをコンピュータシステムに読み込ませ、実行することにより発電量の推定を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００９９】
１…デジタル時計、Ｇ…太陽電池、Ｄ…ダイオード、Ｅ…二次電池、１０…ユニット、２０…操作部、３０…報知部、４０…ケース、５０…ベルト、１１…過充電防止回路、１２…照度検出回路、１３…発電量検出回路、１４…発振回路、１５…分周回路、１６…制御回路、ＳＷ…スイッチ、１３１…検出素子、１３２…発電検出制御回路、１３３…ＡＤ回路、Ｒ１…抵抗、Ｒ２…抵抗、１０１…電池残量検出回路、１０２…ＢＯＲ回路、１０３…発振停止検出回路、１０４…入力回路、１０５…ＲＯＭ、１０６…ＲＡＭ、１０７…制御部、１０８…比較部、１０９…表示駆動回路、１１０…電源回路、１１１…降圧回路、１１２…発振定電圧回路、１１３…ロジック定電圧回路、１１４…昇圧電源回路、１１５…消費電流検出回路、３０２…秒表示、３０３…二次電池Ｅの残量表示、３０４…発電レベルの表示
【図１】
2018059858.tif 000003
【図２】
2018059858.tif 000004
【図３】
2018059858.tif 000005
【図４】
2018059858.tif 000006
【図５】
2018059858.tif 000007
【図６】
2018059858.tif 000008
【図７】
2018059858.tif 000009
【図８】
2018059858.tif 000010
【図９】
2018059858.tif 000011
【図１０】
2018059858.tif 000012
【図１１】
2018059858.tif 000013
【図１２】
2018059858.tif 000014